(57)【要約】      （修正有）【課題】巻き取られた紙の巻き取り硬度の測定は、検査員の感に頼る木棒による打音法、あるいは不連続点の測定で、手間と時間の掛かるシュミットハンマーによるのが一般的であった。【解決手段】紙ロール面を連打するハンマー３と、そのハンマーが紙ロール９面に当って停止するまでの減速度を測定し、そのハンマーの移動距離を測定する機能により、紙ロールの幅方向にハンマーを連打させつつ移動させて、紙ロールの幅方向の巻き取り硬度の変化を測定させ、あわせて紙ロール幅方向の変化グラフを描かせる。【選択図】図１
0003106835.tif 000002
【実用新案登録請求の範囲】
【請求項１】
巻き取られた紙（以下「紙ロール」と記す。）の表面の硬さを測定する装置において、小型のハンマーを紙ロールの表面に打ち当てて、そのハンマーが停止するまでの位置変化を測定してその減速度を求めることにより、紙ロールの巻き取り硬度を測定することを特徴とする紙ロール巻き取り硬度測定装置。
【請求項２】
紙ロール巻き取り硬度測定装置において、硬度検出部を紙ロールの表面を移動させながら連続して小型ハンマーを紙ロールに打ち当てることにより連続して硬度測定を行うことを特徴とする紙ロール巻き取り硬度測定装置。
【請求項３】
硬度検出部を紙ロールの表面を移動させながら連続して測定を行う紙ロール巻き取り硬度測定装置において、検出部の移動距離を自動検出する機能を有することを特徴とする紙ロール巻き取り硬度測定装置。
【請求項４】
硬度検出部を紙ロールの表面を移動距離させながら連続して測定を行い、あわせて検出部の移動距離を自動検出する機能を有する紙ロール巻き取り硬度測定装置において、紙ロールの巻き取り幅方向の各位置に対応して測定された硬度を自動的にグラフ表示させることを特徴とする紙ロール巻き取り硬度測定装置。
【考案の詳細な説明】
【技術分野】
【０００１】巻き取られた紙ロールの巻き取り硬度の測定器に関する。
【考案の開示】
【従来の技術及び考案が解決しようとする課題】
【０００２】従来、製紙産業で製品として出来上った紙を巻き取り、紙ロールとして出荷するが、巻き取りが均一にならないと、巻き戻し中に紙切れ事故を起こしたり、印刷工程で印刷不具合が発生したりする。このような事故、不具合を予防するために紙ロールの巻き方の均一性をチェックするために出荷前に紙ロールの巻き取り硬度を測定して巻き取りの均一性を検査する必要がある。硬度測定方法としては木棒により叩いて音を耳で聞く打音法、あるいはシュミットハンマーを用いた硬度測定法が一般的であるが、打音法は検査員の感に頼るものであり、検査データも曖昧なものとなってしまう。一方、シュミットハンマー法は検査員が測定位置にハンマーの先端を押し付けてばねを圧縮してそのばねの力を利用してハンマーが測定対象に当ったときの反発力を測定するので、測定点が非連続であり測定にも時間を要する。
【０００３】さらに、シュミットハンマー方式では各測定点のデータは数値として捉えられるが、その測定位置は検査員が見当をつけて決めるものであり、正確性を欠くきらいがある。
【０００４】本考案では、紙ロールの巻き取り硬度の測定を紙ロールの幅方向に検出部を移動させることにより連続測定することを可能にし、あわせて測定結果のデータを幅方向に対応したグラフ表示できるようにすることを目的とする。
【課題を解決するための手段】
【０００５】上記問題を解決するための本考案について記述する。
紙ロール面を連打するハンマーと、そのハンマーが紙ロール面に当って停止するまでの減速度を測定し、そのハンマーの移動距離を測定する機能により、紙ロールの幅方向にハンマーを連打ささせつつ移動させて、紙ロールの幅方向の巻き取り硬度の変化を測定させ、あわせて紙ロール幅方向の変化グラフを描かせる。
【実施例】
【０００６】本考案の実施例を図１に従って説明する。【０００７】電磁コイル１とばね２を利用して連続して往復運動する小型ハンマー３により、測定対象の紙ロール９を連打するようにする。【０００８】この小型ハンマー３の往復運動している位置を測定するハンマー位置検出部４を小型ハンマー３に近接して設置する。【０００９】ハンマー位置検出部４が検出した小型ハンマー３の位置情報を取り込んで小型ハンマー３が紙ロール９に当って停止するまでの減速度（マイナス加速度）を計算する減速度計算部５により、減速度をデータ処理部に送出する。【００１０】紙ロール９の表面を小型ハンマー３が移動する移動量を計数する移動距離測定部６により小型ハンマー３が移動した距離を測定してその移動距離データをデータ処理部７に送出する。【００１１】データ処理部７は、ハンマー位置検出部４からの減速度データと移動距離測定部６からの移動距離データを用いて移動距離に対応した減速度を記憶する。
【考案の効果】
【００１２】これらの小型ハンマー３、ハンマー位置検出部４、減速度計算部５、移動距離測定部６、さらに紙ロール９の表面上を容易に移動させられるように複数のローラー１０及びケースを測定ヘッド８として一体化させる。
【００１３】この測定ヘッドを紙ロールの幅方向に端から他方の端までを移動させて連続測定を行うことにより紙ロールの幅方向の減速度が連続的に測定されて、同時に得られた移動距離データを用いて幅方向の減速度変化のグラフをデータ処理部７で描画できる。
【００１４】減速度は硬度と直接の相関があるので表示されたグラフは紙ロールの巻き取り硬度の変化を表し、巻き取り硬度が均一か否かを短時間に容易に判断でき、かつ測定結果はデータ処理部に記憶されるので検査成績書等への再利用が可能となる。
【図面の簡単な説明】
【００１５】
【図１】本考案の実施例である。
【図２】本考案によるグラフ表示例である。
【符号の説明】
【００１６】１  電磁コイル
２  ばね
３  小型ハンマー
４  ハンマー位置検出部
５  減速度計算部
６  移動距離測定部
７  データ処理部
８  測定ヘッド
９  紙ロール
１０  ローラー
【図１】
0003106835.tif 000003
【図２】
0003106835.tif 000004
【手続補正書】
【提出日】平成16年6月2日(2004.6.2)
【手続補正１】
【補正対象書類名】実用新案登録請求の範囲
【補正対象項目名】全文
【補正方法】変更
【補正の内容】
【実用新案登録請求の範囲】
【請求項１】
巻き取られた紙（以下「紙ロール」と記す。）の表面に連続して打ち当てる小型のハンマーと、この小型ハンマーの往復運動している位置を測定するハンマー位置検出部と、このハンマー位置検出部が検出した小型ハンマーの位置検出情報を取り込んで、小型ハンマーが紙ロールに当って停止するまでの減速度を計算する減速度計算部とを備えた硬度検出部（測定ヘッド）により紙ロールの巻取り硬度を連続して測定することを特徴とする紙ロール巻き取り硬度測定装置。
【請求項２】
硬度検出部を紙ロールの表面を移動させながら連続して測定を行う紙ロール巻き取り硬度測定装置において、硬度検出部の移動距離を自動検出する移動距離測定部を有することを特徴とする請求項１に記載のロール巻き取り硬度測定装置。
【請求項３】
硬度検出部を紙ロールの表面を移動させながら連続して測定を行い、あわせて硬度検出部の移動距離を自動検出する移動距離測定部を有する紙ロール巻き取り硬度測定装置において、紙ロールの巻き取り幅方向の各位置に対応して測定された硬度を自動的にグラフ表示させるデータ処理部を有することを特徴とする請求項１に記載の紙ロール巻き取り硬度測定装置。